(57)【要約】      （修正有）【課題】単一でペット用ベッド及びペット用小屋の両方の機能を兼ね備え、開くとペットを中に入れるペット用小屋が構成され、折り畳むとペット用ベッドとなり、開放空間に敷かれてペットを休憩させることができる両用式ペット用小屋を提供する。【解決手段】本体１０及び接合セット２０を備える。本体１０は６枚のマット１０１が接合セット２０により接合されることで形成され、本体１０内部は休憩室１１になり、一側には休憩室１１に連通される入り口１３が設置される。休憩室１１及び入り口１３が開かれると、ペットが潜り込んで睡眠をとったり遊んだりできる。本体１０の頸部１２の対称的な両側から半分の体積に沿って分布される接合セット２０により、本体１０はこの縫い目の軌跡が押し潰されることで平坦区が構成され、ペットを座らせたり、ペット用ベッドと同様の機能を実現させる。【選択図】図１
0003197781.tif 000002
【実用新案登録請求の範囲】
【請求項１】
本体及び接合セットを備える両用式ペット用小屋であって、
前記本体は複数枚のマットが前記接合セットにより接合されることで形成され、前記本体内部は開かれて休憩室になり、一側には前記休憩室に連通される入り口が設置され、前記接合セットはメイン接続線及び複数のサブ接続線を備え、前記本体は頸部の対称的な両側を基準とし、前記本体の体積を半分に分ける周側に沿って前記メイン接続線が分布され、これにより前記本体が前記入り口に連通され、前記メイン接続線の軌跡が押し潰されてペットを座らせるための平坦区が構成されることを特徴とする両用式ペット用小屋。
【請求項２】
前記本体の前記マットは不織布であり、前記マットは合計６枚であることを特徴とする、請求項１記載の両用式ペット用小屋。
【請求項３】
前記本体の前記入り口の外側には外径が前記本体より小さい頸部が設けられることを特徴とする、請求項１記載の両用式ペット用小屋。
【考案の詳細な説明】
【技術分野】
【０００１】
本考案は、ペットが睡眠や休憩をとるためのペット用小屋用品に関する。
【背景技術】
【０００２】
現在のペット用小屋の形態は多岐にわたり、ベッドを有する形態、開口が上に向いた形態、テント形態または開口が一側に向いた小屋形態のペット用小屋等がある。
【考案の概要】
【考案が解決しようとする課題】
【０００３】
しかしながら、これらは固定されて動かすことができない形態であり、近年では開口を有する三角形の袋状のテント小屋等も開発されており、前述のテント小屋は生地材料が縫い合わされて形成されており、ペットが開口から進入して休憩できる。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものであり、その目的は、両用式ペット用小屋を提供することである。即ち、本考案は単一でペット用ベッド及びペット用小屋の両方の機能を兼ね備え、開くとペットを中に入れるペット用小屋が構成され、折り畳むとペット用ベッドとなり、開放空間に敷かれてペットを休憩させることができる。
【課題を解決するための手段】
【０００６】
上述した課題を解決し、上記目的を達成するための本考案に係る両用式ペット用小屋は、本体及び接合セットを備える。前記本体は複数枚のマットが前記接合セットに接合されることで形成され、前記本体内部は開かれると休憩室となり、一側には前記休憩室に連通される入り口が設置される。前記接合セットは、メイン接続線及び複数のサブ接続線を備え、前記本体には頸部の対称的な両側を基準とし、前記本体の体積を半分に分ける周側に沿って前記メイン接続線が分布され、これにより前記本体は前記入り口に連通され、前記メイン接続線の軌跡が押し潰されると、ペットを座らせるための平坦区が構成されることを特徴とする。
【考案の効果】
【０００７】
１、本考案は、単一の本体が２種類の用途を有する。１つは開かれてテント状のペット用小屋となる用途であり、もう１つは押し潰される形態でペット用ベッドとなる用途である。２種類の用途は本体が変形するのみであり、敷設する空間を節約でき、経済的負担も軽くなり、体積も小さく、携帯に便利である。
２、本体の入り口や休憩室が開かれ、ペットが入って遊んだり寝たりすることができる。本体の各マットにより包囲された入り口のみを設けることで、隠匿された安心感があり、猫にとっては潜って遊ぶことができる。
３、本体が押し潰された後に、入り口が折り畳まれて本体の上面に平坦区が形成され、開放空間にペットが座ることができ、車内、室内、飼い主の傍等で利用できる。本考案が前述の押し潰されたベッド形態に変形し、ペットを休憩させて清潔に保つ目的を達成する。
【図面の簡単な説明】
【０００８】
【図１】本考案の第１実施形態による両用式ペット用小屋を示す外観斜視図である。
【図２】本考案の第１実施形態による両用式ペット用小屋を他の角度から見た外観斜視図である。
【図３】本考案の第１実施形態による両用式ペット用小屋を他の角度から見た外観斜視図である。
【図４】本考案の第１実施形態による両用式ペット用小屋の本体が平坦状を呈する斜視図である。
【図５】本考案の第１実施形態による両用式ペット用小屋の本体が平坦状となることを他の角度から見た斜視図である。
【図６】ペットが本考案の第１実施形態による両用式ペット用小屋の入り口の休憩室に入る外観斜視図である。
【図７】ペットが本考案の第１実施形態による両用式ペット用小屋の平坦区に横になって休憩する斜視図である。
【考案を実施するための形態】
【０００９】
以下に図面を参照して、本考案を実施するための形態について、詳細に説明する。なお、本考案は、以下に説明する実施形態に限定されるものではない。
【００１０】
（第１実施形態）
以下、第１実施形を図１〜７に基づいて説明する。まず、本考案の両用式ペット用小屋（図１及び図２参照）は基本的に、本体（１０）及び接合セット（２０）を備える。前記本体（１０）は６枚の厚い不織布のマット（１０１）で構成され、各マット（１０１）は接合方式で構成され、ミシン縫い方式や高周波溶接等の熱融着方式により形成される。これにより本体（１０）が構成され、図１〜図３に示すように、前記本体（１０）は太鼓状を呈し、内部は休憩室（１１）になり、一側には外径が明確に小さい頸部（１２）が設けられ、頸部（１２）には休憩室（１１）に連通される入り口（１３）が設けられる。接合セット（２０）はメイン接続線（２１）及び複数本のサブ接続線（２２）を備え、本体（１０）には頸部（１２）の対称の両側を基準とし、本体（１０）の半分の体積の周側に沿ってメイン接続線（２１）が分布され、本体（１０）はメイン接続線（２１）の軌跡が押し潰されることで定型となり、ペット用ベッド形態が構成される（図４及び図５参照）。前記本体（１０）の上面及び下面のマット（１０１）により平坦区（３０）が構成され、ペットと地面との間に敷かれてペットの休憩場及び遊び場となり、清潔に保つ機能を達成する。
【００１１】
従って、本考案の実施において、図１及び図２に示すように、手を入り口（１３）から進入させて各マット（１０１）を動かし、開いて太鼓状の休憩室（１１）とし、テント状のペット用小屋を構成させる。図６に示すように、ペット（４０）が入り口（１３）から休憩室（１１）に入って隠れたり睡眠をとることができる。特に猫は隠れるのが好きなため、本体（１０）が開かれてテント状になると、猫にとっては快適な生活空間になる。
【００１２】
ベッド機能を使用したい場合、図４及び図５に示すように、メイン接続線を軌跡として本体（１０）を押し潰し、頸部（１２）を押し潰して入り口（１３）も押し潰し、入り口（１３）が扁平に封鎖され、本体（１０）が平坦区（３０）を構成する。これにより、暫定的にベッド状のペット用ベッドの定型ができあがる。図７に示すように、ペット（４０）が平坦区（３０）に座ると、決まった場所や飼い主の傍の開放空間で休憩をとることができる。接合セット（２０）が設けられることで、本体（１０）を平坦区（３０）のベッド形態の定型とし、軟らかくするために定型にするわけではないため、ペット（４０）は安心して座ることができる。
【００１３】
なお、本考案は前述した実施の形態のみに限定されるものではなく、本考案の要旨を逸脱しない範囲において種々の変更が可能である。
【符号の説明】
【００１４】
（１０）本体
（１０１）マット
（１１）休憩室
（１２）頸部
（１３）入り口
（２０）接合セット
（２１）メイン接続線
（２２）サブ接続線
（３０）平坦区
（４０）ペット
【図１】
0003197781.tif 000003
【図２】
0003197781.tif 000004
【図３】
0003197781.tif 000005
【図４】
0003197781.tif 000006
【図５】
0003197781.tif 000007
【図６】
0003197781.tif 000008
【図７】
0003197781.tif 000009